(57)【特許請求の範囲】
【請求項１】
水不溶性担体にｌｏｇＰ（Ｐはオクタノール−水系での分配係数）値が２．５０以上の化合物を固定してなるエンテロトキシンの吸着材であって、
前記エンテロトキシンが、ブドウ球菌エンテロトキシンＢ又はＣ１であり、
前記水不溶性担体が、前記化合物の固定化反応に用いうる官能基としてエポキシ基を有している吸着材。
【請求項２】
該水不溶性担体が水不溶性多孔質担体であることを特徴とする請求項１記載の吸着材。
【請求項３】
該水不溶性多孔質担体の球状タンパク質の排除限界分子量が５千以上６０万以下である請求項２記載の吸着材。
【請求項４】
請求項１〜３のいずれかに記載の吸着材にエンテロトキシンを含む体液を接触させることを特徴とする体液中のエンテロトキシンの吸着除去方法。
【請求項５】
体液の入口および出口を有し、かつ吸着材の容器外への流出防止手段を備えた容器内に、請求項１〜３のいずれかに記載の吸着材を充填してなるエンテロトキシンの吸着器。
【発明の詳細な説明】
【０００１】
【発明の属する技術分野】
本発明は、エンテロトキシンの吸着材、その吸着除去方法および前記吸着材を充填してなる吸着器に関する。
【０００２】
【従来の技術】
エンテロトキシンとはブドウ球菌の産生する毒素のひとつで、催吐作用、発熱活性、マイトジェン活性など種々の生物活性を持ち食中毒症状を引き起こしたり、トキシックショックシンドローム（ＴＳＳ）の原因ともなる。
【０００３】
ブドウ球菌は、ヒトをはじめとする各種動物の皮膚、鼻腔、口腔、咽頭、泌尿器、腸管、あるいは空気中、下水、河川、食品などに広く分布しており、菌種も多い。数多いブドウ球菌の中で、ヒトに病原性を示すのはコアグラーゼ陽性菌である  Ｓｔａｐｈｙｌｏｃｏｃｃｕｓ  ａｕｒｅｕｓ  （以下黄色ブドウ球菌）である。黄色ブドウ球菌は種々の感染症を引き起こしたり、院内感染の起因菌となり問題となっている。
【０００４】
黄色ブドウ球菌が産生するエンテロトキシンは、現在のところブドウ球菌エンテロトキシンＡ、Ｂ、Ｃ１、Ｃ２、Ｃ３、Ｄ、Ｅ、Ｇ、Ｈ、Ｉ（以下各々ＳＥＡ、ＳＥＢ、ＳＥＣ１、ＳＥＣ２、ＳＥＣ３、ＳＥＤ、ＳＥＥ、ＳＥＧ、ＳＥＨ、ＳＥＩと記す）の１０種類が知られている。
【０００５】
またエンテロトキシンはスーパー抗原活性を持つことも知られている。一般の抗原は抗原提示細胞に取り込まれ、断片化（１０〜１５個のアミノ酸からなるペプチド化）された抗原フラグメントがＭＨＣ（ｍａｊｏｒ  ｈｉｓｔｏｃｏｍｐａｔｉｂｉｌｉｔｙ  ｃｏｍｐｌｅｘ）のクラスＩＩ分子のポケット部に結合した形で抗原提示細胞表面に提示される。これを特定のＴ細胞クローンのＴＣＲ（Ｔ  ｃｅｌｌ  ｒｅｃｅｐｔｏｒ）のα鎖とβ鎖が認識してＴ細胞が活性化され、免疫反応が進んで行く。一方、スーパー抗原の場合、抗原がフラグメント化されずに抗原提示細胞上のＭＨＣクラスＩＩ分子に直接結合する。さらにこれがＴ細胞上のＴＣＲに認識されＴ細胞が活性化される。この際ＴＣＲのＶβ領域で抗原が認識されるが、一般の抗原の場合と異なり、特定のＶβを表現するほとんど全てのＴ細胞集団に認識され、Ｔ細胞の活性化、ひいてはサイトカインの産生を引き起こす。このように、スーパー抗原に曝露した個体では、通常の特異的な免疫応答に比べて膨大な量のＴ細胞が活性化され、サイトカインの放出が短時間に起こるために生体の異常反応が惹起されると考えられている。
【０００６】
エンテロトキシンに特異的な抗体、あるいはＭＨＣクラスＩＩ蛋白質等を用いれば血液、血漿、血清等の体液や培養上清、食料品、飲料物中からエンテロトキシンを除去することは可能であるが、これらは高価であるし、滅菌により変性し吸着能力が著しく低下する等の欠点を有している。
【０００７】
そこで、安価で簡便に製造でき、効果の高いエンテロトキシンの吸着材が強く望まれていた。
【０００８】
なお、特開平１０−２９０８３３号公報には、ｌｏｇＰ（Ｐはオクタノール−水系での分配係数）値が２．５０以上の化合物を固定したＴＳＳＴ−１（トキシックショックシンドロームトキシン−１）の吸着材が開示されているが、エンテロトキシンの吸着については何ら開示がない。
【０００９】
【発明が解決しようとする課題】
本発明の目的は、体液中のエンテロトキシンを効率よく吸着除去しうる吸着材、前記吸着材を用いた体液中のエンテロトキシンの吸着除去方法およびエンテロトキシン吸着器を提供することである。
【００１０】
【課題を解決するための手段】
本発明者らは、体液中に存在するエンテロトキシンを効率よく吸着除去しうる吸着材について鋭意検討した。その結果、水不溶性担体にｌｏｇＰ値が２．５０以上の化合物を固定してなる吸着材が体液中に存在するエンテロトキシンを効率よく吸着除去しうることを見いだし、本発明を完成した。
【００１１】
すなわち、本発明は水不溶性担体にｌｏｇＰ（Ｐはオクタノール−水系での分配係数）値が２．５０以上の化合物を固定してなるエンテロトキシンの吸着材に関する。
【００１２】
また本発明は、水不溶性担体にｌｏｇＰ（Ｐはオクタノール−水系での分配係数）値が２．５０以上の化合物を固定してなる吸着材にエンテロトキシンを含む体液を接触させることを特徴とする体液中のエンテロトキシンの吸着除去方法に関する。
【００１３】
さらに本発明は、体液の入口および出口を有し、かつ吸着材の容器外への流出防止手段を備えた容器内に、水不溶性担体にｌｏｇＰ（Ｐはオクタノール−水系での分配係数）値が２．５０以上の化合物を固定してなる吸着材を充填してなるエンテロトキシンの吸着器に関する。
【００１４】
【発明の実施の形態】
本発明におけるエンテロトキシンとは、黄色ブドウ球菌が産生する分子量２５，０００〜３０，０００の可溶性蛋白質からなる毒素である。
【００１５】
また、体液とは、血液、血漿、血清、腹水、リンパ液、関節内液およびこれらからえられた分画成分、ならびにそのほかの生体由来の液性成分をいう。
【００１６】
ｌｏｇＰ値とは、化合物の疎水性のパラメータであり、代表的なオクタノール−水系での分配係数Ｐは以下のように求められる。まず、化合物をオクタノール（もしくは水）に溶解し、これに等量の水（もしくはオクタノール）を加え、グリッフィン・フラスク・シェイカー（Ｇｒｉｆｆｉｎ ｆｌａｓｋ ｓｈａｋｅｒ）（グリッフィン・アンド・ジョージ・リミテッド（Ｇｒｉｆｆｉｎ ＆ Ｇｅｏｒｇｅ Ｌｔｄ．）製）で３０分間振盪する。そののち２０００ｒｐｍで１〜２時間遠心分離し、オクタノール層および水層中の化合物の各濃度を分光学的またはＧＬＣなどの種々の方法により測定することにより次式で求められる。
【００１７】
Ｐ＝Ｃｏｃｔ／Ｃｗ
Ｃｏｃｔ：オクタノール層中の化合物濃度
Ｃｗ ：水層中の化合物濃度
本発明の吸着材は、前記のようにして求められるｌｏｇＰ値が２．５０以上の化合物を水不溶性担体に固定してなる。
【００１８】
これまでに多くの研究者らにより種々の化合物のｌｏｇＰ値が実測されており、前記ｌｏｇＰの実測値はシー・ハンシュ（Ｃ．Ｈａｎｓｃｈ）らによって整理されている（「パーティション・コエフィシエンツ・アンド・ゼア・ユージズ；ケミカル・レビューズ（ＰＡＲＴＩＴＩＯＮ ＣＯＥＦＦＩＣＩＥＮＴＳ ＡＮＤＴＨＥＩＲ ＵＳＥＳ；Ｃｈｅｍｉｃａｌ Ｒｅｖｉｅｗｓ）」、７１巻、５２５頁（１９７１））。
【００１９】
また実測値の知られていない化合物については、アール・エフ・レッカー（Ｒ．Ｆ．Ｒｅｋｋｅｒ）がその著書（「ザ・ハイドロフォビック・フラグメンタル・コンスタント（ＴＨＥ ＨＹＤＲＯＰＨＯＢＩＣ ＦＲＡＧＭＥＮＴＡＬ ＣＯＮＳＴＡＮＴ）」、エルセビア・サイエンティフィック・パブリッシング・カンパニー（Ｅｌｓｅｖｉｅｒ Ｓｃｉ．Ｐｕｂ．Ｃｏｍ．）、アムステルダム（１９７７））中に示している疎水性フラグメント定数ｆを用いて計算した値（Σｆ）が参考となる。疎水性フラグメント定数とは、数多くのｌｏｇＰ実測値をもとに、統計学的処理を行い決定された種々のフラグメントの疎水性を示す値である。化合物を構成するおのおののフラグメントのｆ値の和はｌｏｇＰ値とほぼ一致する。本発明においてｌｏｇＰ値というとき、ｌｏｇＰ値が知られていない化合物についてはΣｆ値を意味する。
【００２０】
エンテロトキシンの吸着に有効な化合物の探索にあたり、種々のｌｏｇＰ値を有する化合物を水不溶性担体に固定し、エンテロトキシンに対する吸着能を検討した。その結果、ｌｏｇＰ値が２．５０以上、好ましくは２．８０以上、さらに好ましくは３．００以上の化合物がエンテロトキシンの吸着に有効であり、ｌｏｇＰ値が２．５０未満の化合物はほとんどエンテロトキシンに対する吸着能を示さないことがわかった。たとえば、化合物としてアルキルアミンを水不溶性担体に固定したばあい、アルキルアミンをｎ−ヘキシルアミン（ｌｏｇＰ＝２．０６）からｎ−オクチルアミン（ｌｏｇＰ＝２．９０）に変えると、このあいだでエンテロトキシンに対する吸着能は飛躍的に高まることがわかった。これらの結果より、本発明の吸着材によるエンテロトキシンに対する吸着能は、ｌｏｇＰ値が２．５０以上の化合物の固定により担体上に導入された原子団とエンテロトキシンとのあいだの疎水性相互作用によるものと考えられ、ｌｏｇＰ値が２．５０未満の化合物では疎水性が小さすぎるためにエンテロトキシンに対する吸着能を示さないことが考えられる。
【００２１】
本発明において、水不溶性担体に固定される化合物としては、ｌｏｇＰ値が２．５０以上の化合物であれば特別な制限なしに用いることができる。ただし、化学結合法により担体に化合物を固定するばあい、化合物の一部が脱離することが多いが、この脱離基が化合物の疎水性に大きく寄与しているばあい、すなわち脱離により担体上に固定される原子団の疎水性がΣｆ値で示すと２．５０より小さくなるようなばあいには本発明の主旨から考えて、本発明に用いる化合物としては不適当である。その代表例の１つとして、エステル交換により水酸基を有する担体に安息香酸イソペンチルエステル（Σｆ＝４．１５）を固定するばあいがあげられる。このばあい、実際に担体に固定される原子団はＣ６Ｈ５ＣＯ−であり、この原子団のΣｆ値は１以下である。このような化合物が、本発明で用いる化合物として適当かどうかは、脱離基の部分を水素に置き換えた化合物のｌｏｇＰ値が２．５０以上かどうかにより判断すればよい。
【００２２】
ｌｏｇＰ値が２．５０以上の化合物の中でも、不飽和炭化水素、アルコール、アミン、チオール、カルボン酸およびその誘導体、ハロゲン化物、アルデヒド、ヒドラジド、イソシアナート、グリシジルエーテルなどのオキシラン環含有化合物、ならびにハロゲン化シランなどのように担体への結合に利用できる官能基を有する化合物が好ましい。このような化合物の代表例としては、たとえばｎ−ヘプチルアミン、ｎ−オクチルアミン、デシルアミン、ドデシルアミン、ヘキサデシルアミン、オクタデシルアミン、２−アミノオクテン、ナフチルアミン、フェニル−ｎ−プロピルアミン、ジフェニルメチルアミンなどのアミン類、ｎ−ヘプチルアルコール、ｎ−オクチルアルコール、ドデシルアルコール、ヘキサデシルアルコール、１−オクテン−３−オール、ナフトール、ジフェニルメタノール、４−フェニル−２−ブタノールなどのアルコール類およびこれらのアルコールのグリシジルエーテル類、ｎ−オクタン酸、ノナン酸、２−ノネン酸、デカン酸、ドデカン酸、ステアリン酸、アラキドン酸、オレイン酸、ジフェニル酢酸、フェニルプロピオン酸などのカルボン酸類およびこれらの酸ハロゲン化物、エステル、アミドなどのカルボン酸誘導体、塩化オクチル、臭化オクチル、塩化デシル、塩化ドデシルなどのハロゲン化物、オクタンチオール、ドデカンチオールなどのチオール類、ｎ−オクチルトリクロロシラン、オクタデシルトリクロロシランなどのハロゲン化シラン類、ならびにｎ−オクチルアルデヒド、ｎ−カプリンアルデヒド、ドデシルアルデヒドなどのアルデヒド類などがあげられる。
【００２３】
これらのほかにも、前記の例示化合物の炭化水素部分の水素原子がハロゲン、窒素、酸素、イオウなどのヘテロ原子を含有する置換基、ほかのアルキル基などで置換された化合物のうち、ｌｏｇＰ値が２．５０以上の化合物、前述のシー・ハンシュらの総説「パーティション・コエフィシエンツ・アンド・ゼア・ユージズ；ケミカル・レビューズ、７１巻、５２５頁、（１９７１）」中の５５５頁から６１３頁の表に示されているｌｏｇＰ値が２．５０以上の化合物などを用いうるが、本発明においてはこれらのみに限定されるものではない。
【００２４】
なお、これらの化合物はそれぞれ単独で用いてもよいし、任意の２種類以上を組み合わせてもよく、さらにはｌｏｇＰ値が２．５０未満の化合物との組み合わせで用いてもよい。
【００２５】
本発明の吸着材における水不溶性材料とは、常温常圧で固体であり水に対する溶解度が極めて小さい材料のことをいう。
【００２６】
また、本発明における水不溶性担体の形状の例としては、たとえば粒状、板状、繊維状および中空糸状などがあげられるが、これらのみに限定されず、また前記担体の大きさもとくに限定されない。
【００２７】
本発明の吸着材における水不溶性担体としては、ガラスビーズ、シリカゲルなどの無機担体、架橋ポリビニルアルコール、架橋ポリアクリレート、架橋ポリアクリルアミド、架橋ポリスチレンなどの合成高分子や結晶性セルロース、架橋セルロース、架橋アガロース、架橋デキストリンなどの多糖類からなる有機担体、さらにはこれらの組み合わせによってえられる有機−有機、有機−無機などの複合担体などが代表例としてあげられる。
【００２８】
なかでも、親水性担体が非特異吸着が比較的少なく、エンテロトキシンの吸着選択性が良好であるため好ましい。ここでいう親水性担体とは、担体を構成する化合物を平板状にしたときの水の接触角が６０度以下の担体を指す。水の接触角の測定方法は種々知られているが、たとえば池田がその著書（実験化学選書・コロイド化学，第４章，界面の熱力学，７５頁から１０４頁，裳華房（１９８６））に示しているごとく、化合物の平板上に水滴を置き測定する方法が最も一般的である。上記の方法で測定した水の接触角が６０度以下である化合物としては、セルロース、ポリビニルアルコール、エチレン−酢酸ビニル共重合体けん化物、ポリアクリルアミド、ポリアクリル酸、ポリメタクリル酸、ポリメタクリル酸メチル、ポリアクリル酸グラフト化ポリエチレン、ポリアクリルアミドグラフト化ポリエチレン、ガラスなどからなる担体が代表例としてあげられる。
【００２９】
これらの水不溶性担体は、適当な大きさの細孔を多数有する、すなわち多孔構造を有する担体であることがより好ましい。多孔構造を有する担体とは、基礎高分子母体が微小球の凝集により１個の球状粒子を形成する際に微小球の集塊によって形成される空間（マクロポアー）を有する担体のばあいは当然であるが、基礎高分子母体を構成する１個の微小球内の核と核との集塊の間に形成される細孔を有する担体のばあい、あるいは三次元構造（高分子網目）を有する共重合体が親和性のある有機溶媒で膨潤された状態の時に存在する細孔（ミクロポアー）を有する担体のばあいも含まれる。
【００３０】
また吸着材の単位体積あたりの吸着能から考えて、多孔構造を有する水不溶性担体は、表面多孔性よりも全多孔性が好ましく、また空孔容積および比表面積は、吸着性が損なわれない程度に大きいことが好ましい。
【００３１】
これらの好ましい要件を満たす担体として、多孔質セルロース担体があげられる。多孔質セルロース担体は、（１）機械的強度が比較的高く、強靭であるため撹拌などの操作により破壊されたり微粉を生じたりすることが少なく、カラムに充填した場合体液を高速で流しても圧密化したりしないので高流速で流すことが可能となり、また細孔構造が高圧蒸気滅菌などによって変化を受けにくい、（２）担体がセルロースで構成されているため親水性であり、リガンドの結合に利用しうる水酸基が多数存在し、非特異的吸着も少ない、（３）空孔容積を大きくしても比較的強度が高いため軟質担体に劣らない吸着容量がえられる、（４）安全性が合成高分子担体等に比べて高いなどの優れた点を有しており、本発明に用いる最も適した担体の１つである。しかしながら本発明においてはこれらのみに限定されるものではなく、さらに上述の担体はそれぞれ単独で用いてもよいし、任意の２種類以上を混合して用いてもよい。
【００３２】
またこのような多孔構造を有する水不溶性担体は、吸着対象の物質はある程度大きな確率で細孔内に侵入できるが、他の蛋白質の侵入はできる限り起こらない特徴を有することがより好ましい。すなわち本発明の吸着材の吸着対象であるエンテロトキシンは分子量２５，０００〜３０，０００の蛋白質であり、この蛋白質を効率よく吸着するためにはエンテロトキシンはある程度大きな確率で細孔内に侵入できるが、他の蛋白質の侵入はできる限り起こらないことがより好ましい。細孔内に侵入可能な物質の分子量の目安としては、排除限界分子量が一般に用いられている。排除限界分子量とは成書（たとえば、波多野博行、花井俊彦著、実験高速液体クロマトグラフ、化学同人）などに述べられているごとく、ゲル浸透クロマトグラフィーにおいて細孔内に侵入できない（排除される）分子の内最も小さい分子量をもつものの分子量をいう。排除限界分子量は一般に球状蛋白質、デキストラン、ポリエチレングリコールなどについてよく調べられているが、本発明に用いる担体の場合、球状蛋白質を用いてえられた値を用いるのが適当である。
【００３３】
種々の排除限界分子量の担体を用いて検討した結果、エンテロトキシンの吸着に適当な球状蛋白質の排除限界分子量の範囲は５千以上６０万以下であることが明らかとなった。すなわち球状蛋白質の排除限界分子量が５千未満である担体を用いた場合には、エンテロトキシンの吸着量は小さくその実用性が低下し、また６０万を超えるものでは、エンテロトキシン以外の蛋白質（主としてアルブミン）の吸着が大きくなり、選択性の点でその実用性が低下する。従って本発明に用いる担体の球状蛋白質の排除限界分子量の好ましい範囲は５千以上６０万以下、さらに好ましくは６千以上４０万以下、とくに好ましくは１万以上３０万以下である。
【００３４】
さらに、担体にはリガンドの固定化反応に用いうる官能基を有していることが好ましい。これらの官能基の代表例としては水酸基、アミノ基、アルデヒド基、カルボキシル基、チオール基、シラノール基、アミド基、エポキシ基、ハロゲン基、スクシニルイミド基、酸無水物基などがあげられるが、これらに限定されるわけではない。
【００３５】
本発明に用いる担体としては硬質担体、軟質担体のいずれも用いることができるが、体外循環用の吸着材として使用する場合には、カラムに充填し、通液する際などに目詰まりを生じないことが重要であり、そのためには充分な機械的強度が要求される。したがって本発明に用いる担体は硬質担体であることがより好ましい。ここでいう硬質担体とは、たとえば粒状担体の場合、後記参考例に示すごとく、担体を円筒状カラムに均一に充填し、水性流体を流した際の圧力損失ΔＰと流量の関係が０．３ｋｇ／ｃｍ２までの直線関係にあるものをいう。
【００３６】
本発明の吸着材はｌｏｇＰ値が２．５０以上の化合物を水不溶性多孔質担体に固定してえられるが、その固定化方法としては公知の種々の方法を特別な制限なしに用いることができる。しかしながら、本発明の吸着材を体外循環治療に供する場合には、滅菌時あるいは治療時においてのリガンドの脱離溶出を極力抑えることが安全上重要であり、そのためには共有結合法により固定化することが好ましい。
【００３７】
本発明による吸着材を用いて体液中よりエンテロトキシンを吸着除去する方法には種々の方法がある。最も簡便な方法としては体液を取り出してバッグなどに貯留し、これに吸着材を混合してエンテロトキシンを吸着除去した後、吸着材を濾別してエンテロトキシンが除去された体液をえる方法がある。次の方法は体液の入口と出口を有し、出口には体液は通過するが吸着材は通過しないフィルターを装着した容器に吸着材を充填し、これに体液を流す方法がある。いずれの方法も用いることができるが、後者の方法は操作も簡便であり、また体外循環回路に組み込むことにより患者の体液、とくに血液から効率よくオンラインでエンテロトキシンを除去することが可能であり、本発明の吸着材はこの方法に適している。
【００３８】
ここでいう体外循環回路では本発明の吸着材を単独で用いることもできるが、他の体外循環治療システムとの併用も可能である。併用の例としては、人工透析回路などがあげられ、透析療法との組み合わせに用いることもできる。
【００３９】
つぎに、前記エンテロトキシン吸着材を用いた本発明のエンテロトキシン吸着器を、一実施例の概略断面図である図１に基づき説明する。図１中、１は体液の流入口、２は体液の流出口、３は本発明のエンテロトキシン吸着材、４および５は体液および体液に含まれる成分は通過できるが前記エンテロトキシン吸着材は通過できないフィルター、６はカラム、７はエンテロトキシン吸着器である。しかしながら、エンテロトキシン吸着器はこのような具体例に限定されるものではなく、液の入口、出口を有し、かつエンテロトキシン吸着材の容器外への流出防止具を備えた容器内に前記吸着材を充填したものであれば、どのようなものでもよい。
【００４０】
前記流出防止具には、メッシュ、不織布、綿栓などのフィルターがあげられる。また、容器の形状、材質、大きさにはとくに限定はないが、形状としては筒状容器が好ましい。容器の材質として好ましいのは耐滅菌性を有する素材であるが、具体的にはシリコンコートされたガラス、ポリプロピレン、塩化ビニール、ポリカーボネート、ポリサルフォン、ポリメチルペンテンなどが挙げられる。容器の容量は５０〜１５００ｍｌで直径は２〜２０ｃｍが好ましく、さらに容量は１００〜８００ｍｌで直径は３〜１５ｃｍが好ましく、特に容量は１５０〜４００ｍｌで直径は４〜１０ｃｍが好ましい。
【００４１】
【実施例】
以下、実施例において本発明についてさらに詳細に述べるが、本発明は以下の実施例のみに限定されるものではない。
【００４２】
（参考例）
両端に孔径１５μｍのフィルターを装着したガラス製円筒カラム（内径９ｍｍ、カラム長１５０ｍｍ）にアガロース材料（バイオラッド(Ｂｉｏ−ｒａｄ）社製のＢｉｏｇｅｌＡ−５ｍ、粒径５０〜１００メッシュ）、ビニル系高分子材料（東ソー（株）製のトヨパールＨＷ−６５、粒径５０〜１００μｍ）およびセルロース材料（チッソ（株）製のセルロファインＧＣ−７００ｍ、粒径４５〜１０５μｍ）をそれぞれ均一に充填し、ペリスタティックポンプにより水を流し、流量と圧力損失ΔＰとの関係を求めた。その結果を図２に示す。
【００４３】
図２に示すごとく、トヨパールＨＷ−６５およびセルロファインＧＣ−７００ｍが圧力の増加にほぼ比例して流量が増加するのに対し、ＢｉｏｇｅｌＡ−５ｍは圧密化を引き起こし、圧力を増加させても流量が増加しないことがわかる。本発明においては前者のごとく、圧力損失ΔＰと流量の関係が０.３ｋｇ／ｃｍ２までの直線関係にあるものを硬質材料という。
【００４４】
（実施例１）
セルロース系多孔質担体であるセルロファインＧＣ−２００ｍ（チッソ（株）製、球状蛋白質の排除限界分子量１４０，０００）１７０ｍｌに水を加えて全量３４０ｍｌとしたのち、２Ｍ水酸化ナトリウム水溶液９０ｍｌを加え４０℃とした。これにエピクロルヒドリン３１ｍｌを加え、４０℃で攪拌下２時間反応させた。反応終了後、充分に水洗し、エポキシ化セルロファインＧＣ−２００ｍをえた。
【００４５】
このエポキシ化セルロファインＧＣ−２００ｍを１０ｍｌとり、ｎ−ヘキサデシルアミン（Σｆ＝７．２２）２００ｍｇを加え、エタノール中、４５℃で静置下、６日間反応させた。反応終了後、エタノール、水の順に充分洗浄し、ｎ−ヘキサデシルアミン固定化セルロファインＧＣ−２００ｍをえた。
【００４６】
このｎ−ヘキサデシルアミン固定化セルロファインＧＣ−２００ｍを０．５ｍｌとり、３種類のエンテロトキシン、ＳＥＡ、ＳＥＢ、ＳＥＣ１を各々約６００ｐｇ／ｍｌ含むウシ胎児血清（以下ＦＢＳと記す）３ｍｌと混合し、３７℃にて２Ｈｒｓ振盪した。２Ｈｒｓ後、吸着材と上清を分離し、上清の各エンテロトキシン濃度をＥＬＩＳＡ法にて測定した。
【００４７】
各エンテロトキシンのＥＬＩＳＡは以下のようにして行った。一次抗体ウサギ抗ＳＥＡ（またはＳＥＢ、ＳＥＣ）  ＩｇＧ（トキシンテクノロジー社製）をコーティング緩衝液で希釈しマイクロプレートに１００μｌずつ分注した。４℃で一晩おいたのち、マイクロプレートを洗浄した。３％ウシ血清アルブミン溶液を２００μｌずつマイクロプレートに分注し、室温で２時間おいたのち、マイクロプレートを洗浄した。そこに各々のエンテロトキシンの標準液およびインキュベート前後の上清を１００μｌマイクロプレートに入れた。室温で２時間おいたのち洗浄した。二次抗体ウサギ抗ＳＥＡ（またはＳＥＢ、ＳＥＣ） ＨＲＰ（トキシンテクノロジー社製）を１％ウシ血清アルブミン溶液で希釈し１００μｌずつ分注した。室温で２時間おいたのち洗浄した。オルトフェニレンジアミン溶液を１００μｌずつ分注し室温で１０分間おいた。４規定硫酸を１００μｌずつ分注し、４９２ｎｍでの吸光度を測定した。標準液の吸光度と比較して各エンテロトキシンの濃度を求めた。
【００４８】
（実施例２）
実施例１でえられたエポキシ化セルロファインＧＣ２００ｍを１０ｍｌとり、ｎ−オクチルアミン（ｌｏｇＰ＝２．９０）２００ｍｇを加え、５０（ｖ／ｖ）％エタノール水溶液中、４５℃で静置下、６日間反応させた。反応終了後、５０（ｖ／ｖ）％エタノール水溶液、エタノール、５０（ｖ／ｖ）％エタノール水溶液、水の順に充分に洗浄し、ｎ−オクチルアミン固定化セルロファインＧＣ２００ｍをえた。
【００４９】
このｎ−オクチルアミン固定化セルロファインＧＣ２００ｍを用いて、実施例１と同様に３種類のエンテロトキシンを含むＦＢＳと振盪し、吸着材と上清を分離し、上清の各エンテロトキシン濃度をＥＬＩＳＡ法にて測定した。
【００５０】
（比較例１）
ｎ−オクチルアミンをｎ−ヘキシルアミン（ｌｏｇＰ＝２．０６）に変えたほかは、実施例２と同様にしてｎ−ヘキシルアミン固定化セルロファインＧＣ２００ｍをえた。このｎ−ヘキシルアミン固定化セルロファインＧＣ２００ｍを用いて、実施例１と同様に３種類のエンテロトキシンを含むＦＢＳと振盪し、吸着材と上清を分離し、上清の各エンテロトキシン濃度をＥＬＩＳＡ法にて測定した。
【００５１】
（比較例２）
ｎ−オクチルアミンをｎ−ブチルアミン（ｌｏｇＰ＝０．９７）に変えたほかは、実施例２と同様にしてｎ−ブチルアミン固定化セルロファインＧＣ２００ｍをえた。このｎ−ブチルアミン固定化セルロファインＧＣ２００ｍを用いて、実施例１と同様に３種類のエンテロトキシンを含むＦＢＳと振盪し、吸着材と上清を分離し、上清の各エンテロトキシン濃度をＥＬＩＳＡ法にて測定した。
【００５２】
（比較例３）
セルロファインＧＣ−２００ｍを用いて、実施例１と同様に３種類のエンテロトキシンを含むＦＢＳと振盪し、吸着材と上清を分離し、上清の各エンテロトキシン濃度をＥＬＩＳＡ法にて測定した。
【００５３】
【表１】
0004283430.tif 000002
【００５４】
【発明の効果】
本発明の方法による水不溶性担体にｌｏｇＰ値２．５０以上の化合物を固定化した吸着材を用いることで体液中のエンテロトキシンを効率よく吸着除去することができる。
【図面の簡単な説明】
【図１】本発明のエンテロトキシン吸着器の一実施例の概略断面図である。
【図２】３種類の材料を用いて流速と圧力損失との関係を調べた結果を示すグラフである。
【符号の説明】
１    体液の流入口
２    体液の流出口
３    エンテロトキシン吸着材
４、５    体液および体液に含まれる成分は通過できるが前記エンテロトキシン吸着材は通過できないフィルター
６    カラム
７    エンテロトキシン吸着器
【図１】
0004283430.tif 000003
【図２】
0004283430.tif 000004